【手続補正書】
【提出日】令和1年6月13日(2019.6.13)
【手続補正１】
【補正対象書類名】特許請求の範囲
【補正対象項目名】全文
【補正方法】変更
【補正の内容】
【特許請求の範囲】
【請求項１】
患者の１つまたは複数の歯科画像から歯科修復製品(a dental restorative product) の設計を生成する方法（７００）であって、
前記患者の歯の状態(dentition)の変化より前の前記患者の歯の状態の３次元（３Ｄ）画像を取得するステップ（７１０）と、
前記患者の歯の状態の前記変化を判定するステップ（７２０）と、
歯の状態の前記変化より前の歯の状態の前記３Ｄ画像に少なくとも基づいて、前記患者の少なくとも１つの歯の歯科修復製品の設計をプロセッサによって自動的に生成するステップ（７３０）と
を含む、方法。
【請求項２】
前記患者の歯の状態の前記変化を判定するステップが、前記患者の歯の状態の前記変化の後の前記患者の変化後の３Ｄ画像を取得するステップをさらに含み、前記生成するステップが、歯の状態の前記変化より前の歯の状態の前記３Ｄ画像と前記変化後の３Ｄ画像との少なくとも１つの差に基づいて前記設計を生成するステップをさらに含む、
請求項１に記載の方法。
【請求項３】
前記設計に基づいて前記歯科修復製品を製造するステップ
をさらに含む、請求項１に記載の方法。
【請求項４】
前記歯科修復製品を製造するステップが、
フライス盤(milling machine)および積層造形デバイス(additive manufacturing device)から成るグループから選択された少なくとも１つを含む製造(fabrication)デバイス（１５０）に前記設計を送信するステップであって、前記患者の歯の状態の３Ｄ画像を取得する前記ステップが歯科医院において実行され、前記製造デバイスが前記歯科医院内に置かれる、ステップと、
前記設計に基づいて前記製造デバイスを使用して前記歯科修復製品を製造するステップと
をさらに含む、請求項３に記載の方法。
【請求項５】
前記積層造形デバイスが、ステレオリソグラフィおよびデジタル光処理から成るグループから選択された少なくとも１つを使用する、請求項４に記載の方法。
【請求項６】
前記患者の歯の状態の前記３Ｄ画像を取得するステップが、口腔内イメージングデバイスおよびボリュメトリック(volumetric)歯科イメージングデバイスから成るグループから選択された少なくとも１つを備えるイメージングデバイスから歯の状態の前記３Ｄ画像を獲得するステップを含む、請求項１に記載の方法。
【請求項７】
前記患者の歯の状態の前記３Ｄ画像を取得するステップが、
非電離(non-ionizing)スキャナを使用して前記患者の口腔内画像を獲得するステップであって、前記口腔内画像が、表面形状(surface geometry)ファイルを含み、前記非電離スキャナが、光学スキャナおよびレーザスキャナから成るグループから選択された少なくとも１つを含む、ステップ、または、
Ｘ線コンピュータ断層撮影、磁気共鳴映像法（ＭＲＩ）、および超音波イメージングから成るグループから選択された少なくとも１つを使用して前記患者のボリュメトリック歯科画像を獲得するステップ
をさらに含む、請求項１に記載の方法。
【請求項８】
前記患者の歯の状態の前記３Ｄ画像を取得するステップが、
非電離イメージングデバイスを使用して前記患者の口腔内画像を獲得するステップと、
前記口腔内画像に基づいて歯周組織の上の歯の歯冠表面(crown surface)を判定するステップと、
Ｘ線ベースのイメージングデバイスを使用し、前記患者のボリュメトリック歯科画像を獲得するステップと、
前記ボリュメトリック歯科画像に基づいて前記歯周組織に囲まれた根の組織(root tissue)の少なくとも一部を含む前記歯の歯組織(tooth tissue)の形状(geometry)を判定するステップと、
画像登録プロセスを使用し、前記口腔内画像および前記ボリュメトリック歯科画像の組合せに基づいて、前記歯冠表面および前記根の組織の少なくとも一部を含む歯の状態の前記３Ｄ画像を生成するステップと
をさらに含む、請求項１に記載の方法。
【請求項９】
前記設計が、コンピュータ支援設計フォーマット（ＣＡＤフォーマット）ファイルおよび画像ファイルから成るグループから選択された少なくとも１つを備え、
前記歯科修復製品が、歯科補綴物(prosthesis)、義歯(denture)、インプラント、インレー、詰め物(filling)、プラグ(plug)、歯冠、オンレー(onlay)、およびベニア(veneer)から成るグループから選択された少なくとも１つを備える、
請求項１に記載の方法。
【請求項１０】
前記患者に関連するパーソナル化ライブラリ内の歯の状態の前記変化より前の前記患者の歯の状態の前記３Ｄ画像をデータ記憶デバイスに記憶するステップ
をさらに含む、請求項１に記載の方法。
【請求項１１】
前記患者の歯の状態の前記３Ｄ画像をセグメント化して歯の歯冠データを生成するステップと、
前記歯冠データを処理して歯冠設計ファイルを生成するステップと、
前記患者に関連するパーソナル化ライブラリに前記歯冠設計ファイルを記憶するステップと
をさらに含む、請求項１１に記載の方法。
【請求項１２】
前記生成するステップが、
前記パーソナル化ライブラリから前記歯冠設計ファイルを取得するステップと、
前記歯冠設計ファイルに基づいて前記歯科修復製品の前記設計を生成するステップと
をさらに含む、請求項１１に記載の方法。
【請求項１３】
前記患者の歯の状態の３Ｄ画像を取得するステップが、歯に損傷が生じるより前にデータ記憶デバイスのパーソナル化ライブラリに前に保存された外傷前(pre-trauma)の設計ファイルを取得するステップをさらに含み、
前記患者の歯の状態の前記変化を判定するステップが、前記歯に損傷が生じた後(post-trauma)の前記パーソナル化ライブラリに保存された外傷後の設計ファイルを取得するステップをさらに含み、
前記設計を生成するステップが、
前記歯の前記外傷前の設計ファイルと前記外傷後の設計ファイルとを比較するステップと、
前記外傷前の設計ファイルと前記外傷後の設計ファイルとの比較に基づいて歯科修復製品ファイルを生成するステップであって、前記歯科修復製品ファイルが、前記外傷前の設計ファイルには存在するが前記外傷後の設計ファイルにはない歯組織(tooth tissue)を含む、ステップと
をさらに含む、請求項１１に記載の方法。
【請求項１４】
前記患者の歯の状態の前記３Ｄ画像をセグメント化するステップが、
歯の状態の前記３Ｄ画像において歯組織および非歯組織(non-tooth tissue)を区別するステップと、
歯の状態の前記３Ｄ画像内の前記歯組織に基づいて前記歯の前記歯冠データ(crown data)を生成するステップと
をさらに含む、請求項１１に記載の方法。
【請求項１５】
歯の状態の前記変化より前の前記患者の歯の状態の３次元画像を取得する前記ステップの後に歯の状態の前記変化をもたらす修復のために歯を準備するステップをさらに含み、歯の状態の前記変化を判定する前記ステップが、前記準備するステップの後に、前記患者の変化後の３Ｄ画像を取得するステップをさらに含む、請求項１に記載の方法。
【請求項１６】
患者の１つまたは複数の歯科画像（１３４）から歯科修復製品の設計を生成するように動作可能なシステム（１００）であって、
前記患者の歯の状態の変化より前の前記患者の歯の状態の３次元（３Ｄ）画像を取得する
ように構成された、イメージングモジュール（１４４）と、
前記患者の歯の状態の前記変化を判定し、
歯の状態の前記変化より前の歯の状態の前記３Ｄ画像に少なくとも基づいて前記患者の少なくとも１つの歯の歯科修復製品の設計を自動的に生成する
ように構成された、設計モジュール（１４８）と
を備える、システム（１００）。
【請求項１７】
イメージングモジュール（１４４）が、
前記患者の歯の状態の前記変化の後の前記患者の変化後の３Ｄ画像を取得するようにさらに構成され、
前記設計モジュールが、
歯の状態の前記変化より前の歯の状態の前記３Ｄ画像と前記変化後の３Ｄ画像との少なくとも１つの差に基づいて前記設計を生成するようにさらに構成された、
請求項１６に記載のシステム。
【請求項１８】
フライス盤および積層造形デバイスから成るグループから選択された少なくとも１つを備える製造(manufacturing)デバイス（１５０）であって、前記設計に基づいて前記歯科修復製品を製造するように構成された製造デバイス
をさらに備える、請求項１６に記載のシステム。
【請求項１９】
口腔内イメージングデバイスおよびボリュメトリック歯科イメージングデバイスから成るグループから選択された少なくとも１つを備える画像獲得デバイス（１１０）であって、歯の状態の前記３Ｄ画像を獲得するように構成された画像獲得デバイス
をさらに備える、請求項１６に記載のシステム。
【請求項２０】
前記患者に関連するパーソナル化ライブラリに歯の状態の前記変化より前の前記患者の歯の状態の前記３Ｄ画像を記憶するように構成された記憶デバイス（１３０）
をさらに備える、請求項１６に記載のシステム。